(57)【要約】【課題】電極組立体の層間に気泡が滞留することを抑制することができる蓄電装置を提供すること。【解決手段】リチウムイオン二次電池１０は、電極組立体１４に貼り付けられるテープ４５を有する。テープ４５は、電極組立体１４の積層方向の一方の端面１４ｃから他方の端面１４ｃに亘って電極組立体１４に貼り付けられるとともに、各端面１４ｃに貼り付けられた部位に貼付部４６を有する。電極組立体１４の一対の端面１４ｃが底面１４ａから立ち上がるようにケース１１が縦置きされた状態で積層方向に貼付部４６を見た場合、貼付部４６は、電極組立体１４の幅方向の中央から各側面１４ｄに向けて上り傾斜する第２縁部４６ｂを有する。【選択図】図１
2016018719.tif 000002
【特許請求の範囲】
【請求項１】
異なる極性の電極を絶縁した状態に積層した電極組立体と、前記電極組立体及び電解液を収容するケースと、前記電極の積層方向に前記電極組立体を保持するテープと、有する蓄電装置であって、
前記電極組立体は、前記ケースの内底面に支持された底面と、該底面に交差し、かつ前記積層方向の両端に位置する一対の端面と、前記底面に交差し、かつ一対の端面同士を繋ぐ一対の側面とを有し、前記端面に沿い、かつ一対の側面を結ぶ方向を前記電極組立体の幅方向とすると、
前記テープは、前記電極組立体の幅方向の両側において、前記電極組立体の積層方向の一方の端面から他方の端面に亘って前記電極組立体に貼り付けられるとともに、各端面に貼り付けられた部位に貼付部を有し、
前記一対の端面が前記底面から立ち上がるように前記ケースが縦置きされた状態で前記積層方向に前記貼付部を見た場合、
前記貼付部の縁部に、前記幅方向の中央から各側面に向けて上り傾斜する傾斜部を有することを特徴とする蓄電装置。
【請求項２】
前記傾斜部は、前記幅方向の中央から各側面に向けて延びる縁部の全体に設けられている請求項１に記載の蓄電装置。
【請求項３】
前記電極は、正極活物質層を備える正極電極と、負極活物質層を備える負極電極であり、前記電極組立体の積層方向から見て、前記正極活物質層の全面が前記負極活物質層に覆われており、前記正極電極の側縁のうち、前記電極組立体の幅方向における両端に位置する側縁を外側縁とすると、
前記貼付部の縁部のうち、前記傾斜部と交差し、かつ電極組立体の側面に近い縁部は、前記積層方向に前記貼付部を見た場合、前記正極電極の外側縁上、又は幅方向に沿って外側縁よりも外側にある請求項１又は請求項２に記載の蓄電装置。
【請求項４】
前記蓄電装置はリチウムイオン二次電池である請求項１〜請求項３のうちいずれか一項に記載の蓄電装置。
【発明の詳細な説明】
【技術分野】
【０００１】
本発明は、電極及びセパレータの積層方向に電極組立体を保持するテープを有する蓄電装置に関する。
【背景技術】
【０００２】
リチウムイオン二次電池は再充電が可能であり、繰り返し使用することができるため、電源として広く利用されている。一般に、リチウムイオン二次電池はケースを備え、そのケース内に電極組立体及び非水電解液が収容されている。電極組立体は、正極電極、負極電極、及び正極電極と負極電極とを絶縁するセパレータを有し、正極電極と負極電極との間にセパレータを介在した積層構造になっている。また、リチウムイオン二次電池では、電極組立体を構成する各電極及びセパレータの積層状態を維持するため、テープを電極組立体に貼り付けたものがある（例えば、特許文献１参照）。
【０００３】
図９に示すように、ケース９０に収容された電極組立体８１において、固定テープ８０は、電極組立体８１の積層方向一端に位置する端面８１ａから、電極組立体８１の底面８１ｂを跨いで積層方向他端に位置する端面（図示せず）に至る状態で電極組立体８１に貼り付けられている。固定テープ８０は、電極組立体８１の積層方向一端に位置する端面８１ａ、及び積層方向他端に位置する端面に貼り付けられる貼付部８０ａを有する。そして、固定テープ８０により、電極組立体８１には、積層方向両端から積層方向の中央に向けて荷重が加わり、積層状態が維持されている。
【０００４】
このようなリチウムイオン二次電池の製造は、ケース９０内に、固定テープ８０で保持された電極組立体８１を収納した後、非水電解液をケース９０内に注入する。そして、非水電解液を正極活物質及び負極活物質に浸透させる工程を行った後、充放電を繰り返し行うコンディショニング工程が行われる。このコンディショニング工程を行う一つの目的は、負極活物質の表面にＳＥＩ皮膜を形成することであり、ＳＥＩ皮膜を形成する目的は、負極活物質表面での電解液成分のさらなる分解を抑制することである。このＳＥＩ皮膜は、初期充電時に、電解液に含まれた添加剤が分解されることによって形成される。
【先行技術文献】
【特許文献】
【０００５】
【特許文献１】特開２０１３−２５４６２８号公報
【発明の概要】
【発明が解決しようとする課題】
【０００６】
ところが、コンディショニング工程では、添加剤の分解に伴いガスも発生する。ここで、図９に示すように、固定テープ８０が電極組立体８１に貼り付けられることで、電極組立体８１には、積層方向両端から積層方向の中央に向けて荷重が加わり、電極組立体８１に撓みが生じている。このため、電極組立体８１において、負極電極とセパレータとの間や、正極電極とセパレータの間といった電極組立体８１内の層間には隙間８８が形成されてしまっている。すると、その隙間８８内でも添加剤が分解され、ガスが発生し、ガスが気泡となって隙間８８に滞留する。その結果、電極組立体８１の隙間８８に滞留した気泡８９によって、電極組立体８１の層間でのリチウムイオンの移動が阻害され、リチウムが析出してしまう。
【０００７】
本発明は、上記課題を解決するためになされたものであって、その目的は、電極組立体の層間に気泡が滞留することを抑制することができる蓄電装置を提供することにある。
【課題を解決するための手段】
【０００８】
上記問題点を解決するための蓄電装置は、異なる極性の電極を絶縁した状態に積層した電極組立体と、前記電極組立体及び電解液を収容するケースと、前記電極の積層方向に前記電極組立体を保持するテープと、有する蓄電装置であって、前記電極組立体は、前記ケースの内底面に支持された底面と、該底面に交差し、かつ前記積層方向の両端に位置する一対の端面と、前記底面に交差し、かつ一対の端面同士を繋ぐ一対の側面とを有し、前記端面に沿い、かつ一対の側面を結ぶ方向を前記電極組立体の幅方向とすると、前記テープは、前記電極組立体の幅方向の両側において、前記電極組立体の積層方向の一方の端面から他方の端面に亘って前記電極組立体に貼り付けられるとともに、各端面に貼り付けられた部位に貼付部を有し、前記一対の端面が前記底面から立ち上がるように前記ケースが縦置きされた状態で前記積層方向に前記貼付部を見た場合、前記貼付部の縁部に、前記幅方向の中央から各側面に向けて上り傾斜する傾斜部を有することを要旨とする。
【０００９】
これによれば、貼付部を電極組立体の両方の端面に貼り付けて、テープで電極組立体を積層方向に保持した状態では、電極組立体には積層方向に荷重が加わり、貼付部の縁部に沿って積層方向への撓みが生じやすい。すると、電極組立体内では、撓みに伴って積層方向に対向する層同士の間に隙間が形成される。蓄電装置の初期充電時、電解液に含まれる添加剤の分解に伴いガスが発生し、電極組立体の層間の隙間でも添加剤が分解されてガスが発生すると、そのガスは隙間内で気泡となる。しかし、貼付部の縁部に傾斜部が設けられていると、隙間を区画する層には、傾斜部に沿って延びるエッジが形成される。このため、隙間内で発生した気泡は、その隙間内をエッジの傾斜に沿って上昇し、そのまま電極組立体の側面に至る。その結果、隙間内で発生した気泡を電極組立体の外へ出すことができ、電極組立体の層間に気泡が滞留することを抑制することができる。
【００１０】
また、蓄電装置について、前記傾斜部は、前記幅方向の中央から各側面に向けて延びる縁部の全体に設けられているのが好ましい。
これによれば、隙間を区画するエッジに沿って上昇する気泡を、その途中で滞留させることなく、そのまま電極組立体の側面に至らせることができる。
【００１１】
また、蓄電装置について、前記電極は、正極活物質層を備える正極電極と、負極活物質層を備える負極電極であり、前記電極組立体の積層方向から見て、前記正極活物質層の全面が前記負極活物質層に覆われており、前記正極電極の側縁のうち、前記電極組立体の幅方向における両端に位置する側縁を外側縁とすると、前記貼付部の縁部のうち、前記傾斜部と交差し、かつ電極組立体の側面に近い縁部は、前記積層方向に前記貼付部を見た場合、前記正極電極の外側縁上、又は幅方向に沿って外側縁よりも外側にある。
【００１２】
これによれば、電極組立体内の層間に形成された隙間は、正極電極の外側縁で電極組立体の外に開放される。このため、傾斜部に交差する別の縁部が、正極電極の外側縁に至っていれば、傾斜部によって形成されるエッジも正極電極の外側縁に至ることになり、エッジに沿って隙間内を移動する気泡を電極組立体の側面から外へ出すことができる。
【００１３】
また、前記蓄電装置はリチウムイオン二次電池である。
【発明の効果】
【００１４】
本発明によれば、電極組立体の層間に気泡が滞留することを抑制することができる。
【図面の簡単な説明】
【００１５】
【図１】実施形態の二次電池を示す分解斜視図。
【図２】電極組立体の構成要素を示す分解斜視図。
【図３】二次電池の外観を示す斜視図。
【図４】テープ及び電極組立体を示す図３の４−４線部分断面図。
【図５】テープ及び電極組立体を示す部分正面図。
【図６】エッジに沿って気泡が移動する状態を示すセパレータから見た部分正面図。
【図７】テープの別例を示す部分正面図。
【図８】テープの別例を示す部分正面図。
【図９】背景技術を示す図。
【発明を実施するための形態】
【００１６】
以下、蓄電装置を具体化した一実施形態を図１〜図６にしたがって説明する。
図１及び図３に示すように、リチウムイオン二次電池１０は、ケース１１を有し、ケース１１には電極組立体１４及び非水電解液が収容されている。ケース１１は、有底四角筒状のケース本体１２と、ケース本体１２に電極組立体１４を挿入するための開口部１２ａを閉塞する平板状の蓋体１３とからなる。
【００１７】
ケース本体１２は、矩形板状の底壁１２ｂと、底壁１２ｂの対向する一対の長側縁から立設された長側壁１２ｄと、底壁１２ｂの対向する一対の短側縁から立設された短側壁１２ｃとを有する。短側壁１２ｃの正面視形状は、底壁１２ｂに繋がる辺が短辺となる矩形状であり、長側壁１２ｄの正面視形状は、底壁１２ｂに繋がる辺が長辺となる矩形状である。また、ケース本体１２の内面は絶縁層１５ａによって覆われている。ケース本体１２と蓋体１３は、何れも金属製（例えば、ステンレス製やアルミニウム製）である。蓋体１３は、ケース１１（ケース本体１３）内に電解液を注入するための注液孔１３ａを有する。注液孔１３ａは封止栓１９によって閉塞されている。
【００１８】
図２に示すように、電極組立体１４は、負極電極２１、正極電極２４、及び正極電極２４と負極電極２１とを絶縁するセパレータ２７を有する。
負極電極２１は、負極金属箔２２（銅箔）と、負極金属箔２２の両面に負極活物質を塗工して構成された負極活物質層２３と、を有する。負極電極２１は、その一側縁２１ａに沿って、負極金属箔２２で構成された負極未塗工部２２ｄを有する。負極電極２１の一側縁２１ａの一部には、負極タブ２９が突出する状態で設けられている。また、負極電極２１は、負極タブ２９の突出した一側縁２１ａに直交する側縁に外側縁２１ｂを有する。
【００１９】
負極活物質層２３は、負極活物質、導電剤、バインダ、及び溶媒を含む活物質合剤から形成される。負極活物質としてはリチウムイオンを挿入・脱離し得る材料が用いられ、カーボン系のものが用いられる。具体的には、アモルファスカーボン、グラファイト等が挙げられる。導電剤、バインダ、溶媒としては周知のものが使用される。
【００２０】
正極電極２４は、矩形状の正極金属箔２５（アルミニウム箔）と、正極金属箔２５の両面に正極活物質を塗工して構成された正極活物質層２６と、を有する。正極電極２４は、その一側縁２４ａに沿って、正極金属箔２５で構成された正極未塗工部２５ｄを有する。正極電極２４の一側縁２４ａの一部には、正極タブ２８が突出する状態で設けられている。また、正極電極２４は、正極タブ２８の突出した一側縁２４ａに直交する側縁に外側縁２４ｂを有する。正極電極２４の正極活物質層２６は、正極活物質、導電剤、バインダ、及び溶媒を含む活物質合剤から形成される。
【００２１】
正極活物質としては、リチウムイオンを吸蔵・放出し得る材料が用いられ、リチウム含有酸化物等が好ましく用いられる。具体例としてはリチウムマンガン酸化物、リチウムニッケル酸化物、リチウムコバルト酸化物、リチウム鉄酸化物等の、リチウムイオン二次電池の正極活物質に用いられている化合物等が挙げられる。
【００２２】
非水電解液の溶媒としては、リチウムイオン二次電池に用いられる各種有機溶媒から選択される一種又は二種以上が用いられ、有機溶媒としては例えばエチレンカーボネート（ＥＣ）、プロピレンカーボネート（ＰＣ）、ビニレンカーボネート（ＶＣ）、ジメチルカーボネート（ＤＭＣ）、ジエチルカーボネート（ＤＥＣ）等が挙げられる。非水電解液の電解質としては、従来のリチウムイオン二次電池に用いられる各種リチウム塩が用いられる。そして、非水電解液は、選択された有機溶媒に電解質を溶解させた溶液が使用される。本実施形態では、添加剤として、ビニレンカーボネートを少なくとも含む。
【００２３】
電極組立体１４は、複数の正極電極２４と複数の負極電極２１を交互に積層するとともに、両電極２１，２４の間にセパレータ２７を介在した積層構造とされ、直方体状である。負極電極２１、正極電極２４、及びセパレータ２７が積層された方向を電極組立体１４の積層方向とする。
【００２４】
負極電極２１と正極電極２４は、各タブ２８，２９の同一極性同士が積層方向に列状に配置される一方、異なる極性同士が積層方向に重ならないように積層されている。負極電極２１と正極電極２４とセパレータ２７とが積層された状態において、正極活物質層２６と負極活物質層２３とがセパレータ２７を介して対向している。負極活物質層２３の隣り合う２辺の各辺の長さ（長手方向の長さ及び短手方向の長さ）は、正極活物質層２６の隣り合う２辺の各辺の長さ（長手方向の長さ及び短手方向の長さ）よりも長く設定されている。つまり、負極活物質層２３は、正極活物質層２６の全面を覆うことが可能な大きさに設定されている。
【００２５】
図１に示すように、電極組立体１４は、ケース１１の内底面、すなわち、底壁１２ｂの上面に支持される底面１４ａを有するとともに、各タブ２８，２９が突出するタブ側端面１４ｂを有する。また、電極組立体１４は、積層方向の両端に位置し、かつ底面１４ａに交差する一対の端面１４ｃを有する。さらに、電極組立体１４は、底面１４ａに交差し、かつ一対の端面１４ｃ同士を繋ぐ一対の側面１４ｄを有する。
【００２６】
そして、リチウムイオン二次電池１０は、電極組立体１４の一対の端面１４ｃが、ケース１１の内底面（底壁１２ｂの上面）から立ち上がるように、縦置きされた状態で使用される。なお、電極組立体１４において、端面１４ｃに沿い、かつ一対の側面１４ｄを結ぶ方向を幅方向とする。図５に示すように、電極組立体１４の各側面１４ｄにおいて、正極電極２４の外側縁２４ｂは、負極電極２１の外側縁２１ｂよりも幅方向の中央寄りに位置している。
【００２７】
図１に示すように、各正極タブ２８は、電極組立体１４における積層方向の一端から他端までの範囲内で集められた状態で折り曲げられている。そして、その各正極タブ２８が重なっている箇所を溶接することによって、各正極タブ２８が互いに電気的に接続されている。また、負極タブ２９も同様に、集められた状態で折り曲げられ、その重なった箇所が溶接されることにより互いに電気的に接続されている。リチウムイオン二次電池１０は、各正極タブ２８と電気的に接続された正極端子１６と、各負極タブ２９に電気的に接続された負極端子１５とを備えている。各端子１５，１６は、蓋体１３に形成された貫通孔１３ｃを介してその一部がケース１１外に露出している。
【００２８】
電極組立体１４は、電極組立体１４の幅方向の両側で、かつ底面１４ａ側と、タブ側端面１４ｂ側に貼り付けられたテープ４５を有し、これらテープ４５によって、電極組立体１４は積層方向や、端面１４ｃに沿う方向へのずれが抑制されている。テープ４５は、電極組立体１４の一方の端面１４ｃから、底面１４ａ又はタブ側端面１４ｂを跨いで他方の端面１４ｃに亘って電極組立体１４に貼り付けられている。
【００２９】
テープ４５は帯状である。テープ４５は、長手方向両側の部位であり、各端面１４ｃに貼り付けられる部位に貼付部４６を有する。また、テープ４５において、貼付部４６に挟まれた部位であり、タブ側端面１４ｂ又は底面１４ａを跨ぐ部位に本体部４７を有する。
【００３０】
図５に示すように、リチウムイオン二次電池１０が縦置きされた状態で、各貼付部４６を積層方向から見た正面視において、電極組立体１４の側面１４ｄにおける負極電極２１の外側縁２１ｂに沿って（平行に）延びる貼付部４６の縁部を第１縁部４６ａとする。また、貼付部４６において、第１縁部４６ａに繋がり、かつ電極組立体１４の幅方向に延びる縁部を第２縁部４６ｂとする。さらに、貼付部４６において、第１縁部４６ａに平行で、かつ第２縁部４６ｂに繋がる縁部を第３縁部４６ｃとする。第１縁部４６ａは、テープ４５の長手方向に延びる一対の側縁のうちの、一方の側縁によって構成され、第３縁部４６ｃは、一対の側縁のうちの、他方の側縁によって構成される。
【００３１】
底面１４ａを跨ぐように電極組立体１４に貼り付けられたテープ４５において、第２縁部４６ｂは、貼付部４６の上縁部である。一方、タブ側端面１４ｂを跨ぐように電極組立体１４に貼り付けられたテープ４５において、第２縁部４６ｂは、貼付部４６の下縁部である。そして、第２縁部４６ｂは、電極組立体１４の幅方向の中央から各側面１４ｄに向けて連続的に上り傾斜しており、本実施形態では、第２縁部４６ｂが傾斜部を構成している。ここで、第２縁部４６ｂと第３縁部４６ｃの交点を通過し、かつ電極組立体１４の底面１４ａに平行な直線を仮想線Ｌとした場合、仮想線Ｌと第２縁部４６ｂとの間に形成される鋭角の角度を、第２縁部４６ｂの傾斜角度θとする。第２縁部４６ｂの傾斜角度θは３０〜４５度に設定されるのが好ましいが、傾斜角度θは、３０度より小さくてもよく、４５度より大きくてもよい。また、第２縁部４６ｂにおいて、第１縁部４６ａとの交点は、電極組立体１４の各側面１４ｄ（負極電極２１の外側縁２１ｂ）上に位置している。
【００３２】
ここで、上述のように、電極組立体１４の各側面１４ｄにおいて、正極電極２４の外側縁２４ｂは、負極電極２１の外側縁２１ｂよりも幅方向の中央寄りに位置している。そして、貼付部４６の第１縁部４６ａが、電極組立体１４の側面１４ｄ（負極電極２１の外側縁２１ｂ）に沿う状態で端面１４ｃに貼り付けられていることから、第１縁部４６ａは、電極組立体１４の幅方向の中央から側面１４ｄに向かう方向に沿って、正極電極２４の外側縁２４ｂよりも外側に位置している。
【００３３】
また、図４に示すように、電極組立体１４には、積層方向に沿って貼付部４６に対応した部位に荷重が加わっている。よって、電極組立体１４において、第１縁部４６ａ、第２縁部４６ｂ及び第３縁部４６ｃに囲まれた領域に荷重が加わり、電極組立体１４には、第２縁部４６ｂや第３縁部４６ｃからはみ出るように積層方向への撓みが生じている。
【００３４】
このため、電極組立体１４内では、撓みに伴って積層方向に対向する層同士の間（本実施形態では負極電極２１とセパレータ２７との間）に隙間Ｓ１が形成される。ここで、貼付部４６の第２縁部４６ｂが傾斜していることから、図６に示すように、隙間Ｓ１を区画する負極電極２１の負極活物質層２３には、第２縁部４６ｂに沿って延びるエッジＨが形成されている。このエッジＨは、電極組立体１４の幅方向の中央から側面１４ｄに向けて上り傾斜している。
【００３５】
次に、リチウムイオン二次電池１０の製造方法について説明する。
まず、ケース本体１２に、テープ４５で保持された電極組立体１４を収容する。次に、蓋体１３をケース本体１２の開口部１２ａを閉塞するように設ける。このとき、負極端子１５及び正極端子１６が、絶縁リング１７ａに挿通される。そして、蓋体１３をケース本体１２に溶接することで、ケース１１が構成される。
【００３６】
次に、注液孔１３ａから、ケース１１の内部に非水電解液を注入する。そして、非水電解液を注入した後は、注液孔１３ａを封止栓によって仮封止する。次に、電極組立体１４の充放電を繰り返すコンディショニング工程を行う。コンディショニング工程では、まず、初期（初回）充電を行う。初期充電が開始されると、負極電位が、ビニレンカーボネートの分解電位に達する。すると、ビニレンカーボネートの分解が開始され、負極活物質の表面にはＳＥＩ皮膜の形成が開始されるとともに、ガスの発生が開始する。ビニレンカーボネートの分解により発生したガスは気泡４０となる。
【００３７】
このとき、図４に示すように、電極組立体１４に形成された隙間Ｓ１（層間）でもビニレンカーボネートが分解されてガスが発生し、発生したガスは隙間Ｓ１で気泡４０となる。
【００３８】
しかし、図５及び図６に示すように、隙間Ｓ１を形成するエッジＨは、貼付部４６の第２縁部４６ｂに沿って形成されており、電極組立体１４の幅方向の中央から各側面１４ｄに向けて上り傾斜している。よって、隙間Ｓ１内で発生した気泡４０は、隙間Ｓ１のエッジＨに沿って上昇し、側面１４ｄに向けて移動するようにガイドされる結果、側面１４ｄから電極組立体１４の外へ出ることとなり、電極組立体１４の層間に気泡４０が残らない。
【００３９】
そして、リチウムイオン二次電池１０の電圧が所定電圧に達すると、一サイクル目の充電が完了する。その後、放電が行われ、以降、充放電が繰り返されてコンディショニング工程が終了する。その後、所定の温度環境下でリチウムイオン二次電池１０を放置し、エージング工程を行う。エージング工程が終わった後には、仮封止に用いた封止栓を注液孔１３ａから取り外してケース１１内のガスをケース１１外に放出する。ガス放出の完了後、封止栓１９によって注液孔１３ａを本封止して、リチウムイオン二次電池１０が完成する。
【００４０】
上記実施形態によれば、以下のような効果を得ることができる。
（１）電極組立体１４に貼り付けたテープ４５において、貼付部４６の第２縁部４６ｂを、電極組立体１４の幅方向の中央から側面１４ｄに向けて上り傾斜するようにした。このため、貼付部４６の第２縁部４６ｂにより、隙間Ｓ１を形成するエッジＨを電極組立体１４の側面１４ｄに向けて上り傾斜させることができる。その結果として、隙間Ｓ１内で発生した気泡４０を、エッジＨの傾斜によって側面１４ｄに向かうように上昇させ、電極組立体１４内から気泡４０を出すことができる。よって、電極組立体１４において、貼付部４６が貼り付けられることで隙間Ｓ１が形成されても、その隙間Ｓ１に気泡４０が滞留することが抑制される。その結果として、電極組立体１４の層間では、気泡４０を原因としたリチウムイオンの移動阻害が抑制され、リチウムの析出を抑制することができる。
【００４１】
（２）貼付部４６の第２縁部４６ｂは、その全体が上り傾斜している。このため、隙間Ｓ１のエッジＨに気泡４０を留まらせることなく、側面１４ｄに向けて移動するようにガイドすることができる。
【００４２】
（３）電極組立体１４において、正極活物質層２６の全面が負極活物質層２３によって覆われ、正極電極２４の外側縁２４ｂは、負極電極２１の外側縁２１ｂよりも幅方向の中央寄りに位置している。このため、電極組立体１４に形成された隙間Ｓ１は、正極電極２４の外側縁２４ｂで電極組立体１４の外に開放されている。ここで、貼付部４６の第１縁部４６ａが、正極電極２４の外側縁２４ｂよりも外側に位置しているため、隙間Ｓ１の気泡４０を電極組立体１４の側面１４ｄから外へ出すことができる。
【００４３】
（４）テープ４５は、電極組立体１４の積層方向へのずれや、端面１４ｃに沿う方向へのずれを抑制するため、電極組立体１４に積層方向へ荷重を加えて貼り付けられる。このようなテープ４５を用いても、貼付部４６の第２縁部４６ｂを傾斜させるといった簡単な構成で、テープ４５の貼付に伴う気泡４０の滞留を抑制することができる。
【００４４】
なお、上記実施形態は以下のように変更してもよい。
○  図７に示すように、貼付部４６の貼り付ける位置を、電極組立体１４の側面１４ｄ（負極電極２１の外側縁２１ｂ）よりも、幅方向の中央寄りにずらしてもよい。この場合、貼付部４６の第１縁部４６ａは、正極電極２４の外側縁２４ｂ上に位置するか、図示はしないが、電極組立体１４の幅方向に沿って、正極電極２４の外側縁２４ｂよりも外側に位置させる。
【００４５】
○  図８に示すように、貼付部４６の第２縁部４６ｂは、全体が上り傾斜していなくてもよく、第２縁部４６ｂの全体のうち、側面１４ｄ側の一部に傾斜部を有し、残りが傾斜していなくてもよい。
【００４６】
○  第２縁部４６ｂは、直線状に上り傾斜しておらず、湾曲状や円弧状に上り傾斜していてもよい。
○  テープは、電極組立体１４の幅方向の両側以外にも、それら幅方向両側に貼り付けられたテープ４５の間に設けられてもよい。この場合も、テープの積層方向からの正面視で、電極組立体１４の幅方向の中央から各側面１４ｄに向けて上り傾斜する傾斜部を設ける。
【００４７】
○  テープ４５は、底面１４ａ又はタブ側端面１４ｂを跨ぐように、電極組立体１４の両端面１４ｃに貼り付けたが、これに限らない。テープ４５は、側面１４ｄを跨ぐように、電極組立体１４の両端面１４ｃに貼り付けられていてもよい。
【００４８】
○  テープ４５において、一対の貼付部４６のうち、一方の貼付部４６だけに傾斜した第２縁部４６ｂを設けてもよい。
○  ガスを発生させる添加剤は、ビニレンカーボネート以外でもよい。
【００４９】
○  電極組立体１４を構成する負極電極２１及び正極電極２４の枚数は適宜変更してもよい。
○  実施形態では、負極電極２１は、負極金属箔２２の両面に負極活物質層２３を有するとしたが、負極金属箔２２の片面のみに負極活物質層２３を有していてもよい。同様に、正極電極２４は、正極金属箔２５の両面に正極活物質層２６を有するとしたが、正極金属箔２５の片面のみに正極活物質層２６を有していてもよい。
【００５０】
次に、上記実施形態及び別例から把握できる技術的思想について以下に追記する。
（イ）前記電解液は非水電解液である。
【符号の説明】
【００５１】
１０…蓄電装置としてのリチウムイオン二次電池、１１…ケース、１４…電極組立体、１４ａ…底面、１４ｃ…端面、１４ｄ…側面、２１…負極電極、２３…負極活物質層、２４…正極電極、２４ｂ…外側縁、２６…正極活物質層、４５…テープ、４６…貼付部、４６ａ…第１縁部、４６ｂ…傾斜部としての第２縁部。
【図１】
2016018719.tif 000003
【図２】
2016018719.tif 000004
【図３】
2016018719.tif 000005
【図４】
2016018719.tif 000006
【図５】
2016018719.tif 000007
【図６】
2016018719.tif 000008
【図７】
2016018719.tif 000009
【図８】
2016018719.tif 000010
【図９】
2016018719.tif 000011